(57)【要約】【課題】可搬性のＸ線撮影装置の場合、さまざまな方向に置いて撮影することができるため、撮影画像の座標原点と被写体の相対位置関係を常に一定にすることが困難であった。【解決手段】可搬性のＸ線撮影装置のＸ線入射側の筐体表面に、被写体とＸ線検出手段の相対位置関係を関連付ける指標を設ける。【選択図】      図１
2005073706.tif 000002
【特許請求の範囲】
【請求項１】
Ｘ線を画像又は電気信号に変換するための二次元状の検出面を有するＸ線検出手段と、
前記Ｘ線検出手段を内包する筐体と、
前記筐体上に配置され、前記検出面の座標原点又は／及び座標系を示す図案を表示するための表示手段とを有することを特徴とするＸ線画像撮影装置。
【請求項２】
前記Ｘ線検出手段は、感光性フィルム、イメージングプレート、複数の光電変換素子で構成さるＸ線検出センサのいずれか一つであることを特徴とする請求項１に記載のＸ線画像撮影装置。
【請求項３】
前記図案は、単数、もしくは複数の指標から構成され、該指標を選択的に表示、非表示可能に構成されていることを特徴とする請求１又は２に記載のＸ線画像撮影装置。
【請求項４】
前記表示手段は電気的に点灯、消灯可能な指標又は機械的機構により選択的に表示、非表示可能な指標により構成されることを特徴とする請求項１から３のいずれか一項に記載のＸ線画像撮影装置。
【請求項５】
前記表示手段は２次元画面により構成され、該２次元画面に図案として２次元画像を表示することを特徴とする請求項１又は２に記載のＸ線画像撮影装置。
【請求項６】
前記Ｘ線画像撮影装置は表示手段を制御する制御手段を有し、前記表示手段の表示する図案は該制御手段の出力信号に基づき変更されることを特徴とする請求項１から５のいずれか一項に記載のＸ線画像撮影装置。
【請求項７】
前記Ｘ線画像撮影装置は被写体のカテゴリを前記制御手段に入力する入力手段と、カテゴリと図案に関する情報を関係付けて記憶する記憶手段とを有し、前記制御手段は前記入力手段で入力されたカテゴリに関連付けられた図案に関する情報を記憶手段から読み出し、読み出した情報に基づき図案を表示する様に前記表示手段を制御することを特徴とする請求項６に記載のＸ線画像撮影装置。
【請求項８】
前記図案は前記Ｘ線検出手段の検出領域外に配置されていることを特徴とする請求項１から７のいずれか一項に記載のＸ線画像撮影装置。
【請求項９】
前記図案は、矩形形状に構成さる前記Ｘ線検出手段の検出領域の長辺方向の中心線、または短辺方向の中心線の近傍に配置されている請求項１から７のいづれか一項に記載のＸ線画像撮影装置。
【請求項１０】
前記Ｘ線画像撮影装置は、前記Ｘ線検出手段の画像又は出力信号を画像データに変換する画像処理手段と、前記画像データを表示する第二の表示手段とを有することを特徴とする請求項１から９のいずれか一項に記載のＸ線画像撮影装置。
【請求項１１】
前記画像処理手段は画像の向きを変更する機能をも有することを特徴とする請求項１０に記載のＸ線画像撮影装置。
【請求項１２】
前記表示手段は前記検出面の重心位置を回転中心としたときに、回転対称ではない図案を表示することを特徴とする請求項１から１１のいずれか一項に記載のＸ線画像撮影装置。
【請求項１３】
前記図案は、単数、もしくは複数の貼り付け可能な指標又描写された指標から構成されていることを特徴とする請求１又は２に記載のＸ線画像撮影装置。
【発明の詳細な説明】
【０００１】
【発明の属する技術分野】
本発明は、二次元状の検出面を有するＸ線検出手段を用いたＸ線画像撮影装置の構成に関するものである。
【０００２】
【従来の技術】
従来から、Ｘ線撮影として最も一般的な撮影方法はフィルム／スクリーン法であり、これは二次元状の検出面としての感光性フィルム（Ｘ線検出手段）とＸ線に対して感度を有している蛍光体を組み合わせて撮影する方法である。第２の撮影方法として、コンピューテッドラジオグラフィ（ＣＲ）法と呼ばれる方法も実用化されている。この方法は放射線の透過画像を二次元状の検出面としてのイメージングプレート（Ｘ線検出手段）に一旦、潜像として蓄積し、後に励起光を照射することにより潜像を読み出す方式である。また近年の半導体プロセス技術の進歩に伴い、第３の撮影方法として、二次元状の検出面として複数の光電変換素子から構成されるＸ線検出センサ（Ｘ線検出手段）を使用して同様にＸ線画像を撮影する装置が開発されている。この種のシステムは、従来の感光性フィルム（Ｘ線検出手段）を用いる放射線写真システムと比較して、極めて広範囲な放射線露出域の画像を記録できるという利点を有している。即ち、広範囲のダイナミックレンジのＸ線をＸ線検出センサ（Ｘ線検出手段）により読み取って電気信号に変換した後に、この電気信号を用いて写真感光材料等の記録材料やＣＲＴ等の表示装置に放射線画像を可視像として出力させることにより、放射線の露光量の変動に影響され難い、放射線画像を得ることができる。
【０００３】
図２２は上述した半導体センサを用いた放射線画像撮影システムの概略図を示しており、Ｘ線画像撮影装置２２０１には、複数の光電変換素子を二次元状に配置した検出面を有するＸ線検出センサ（Ｘ線検出手段）２２０２が内蔵されており、Ｘ線発生部２２０３から出射されたＸ線が被写体Ｓに照射され、被写体２２０６を透過したＸ線はＸ線検出センサ（Ｘ線検出手段）２２０２により検出される。このＸ線検出センサ（Ｘ線検出手段）２２０２から出力された画像信号は、画像処理手段２２０４においてデジタル画像処理され、モニタ２２０５上に被写体２２０６のＸ線画像として表示される。このようなＸ線検出センサ（Ｘ線検出手段）は形状から平面検出器、フラットパネル等と称される。
【０００４】
上記さまざまな方式で、撮影を行う場合、検出手段の検出範囲に被写体を位置決めするために、検出手段の検出範囲等を筐体に表示する必要がある。平面検出機の筐体に、検出手段の検出範囲を表示するさまざまな方法がこれまでに提案されている（例えば、特許文献１参照）。
【０００５】
図２３は従来の可搬型平面検出器の例である。２３０１は可搬型のＸ線画像撮影装置であり、２３０１には、複数の光電変換素子を二次元状に配置した検出面を有する不図示のＸ線検出センサ（Ｘ線検出手段）が内蔵されている。２３０２はＸ線画像撮影装置２３０１のＸ線を照射する部分の筐体表面のカバーで、カーボン板などのＸ線透過率の高い材質で構成されている。２３０３は不図示のＸ線検出センサ（Ｘ線検出手段）の検出面を表す矩形の枠線である。２３０４は前記検出面の矩形の短辺方向の中心線である。２３０５は同じく長辺方向の中心線である。２３０７は不図示の制御装置とＸ線画像撮影装置２３０１とを接続するケーブルで、制御信号や画像データとしての電気信号を通信する。２３０８は被写体であり、図では右手の例を示した。図２３で枠線２３０３の図中左上が不図示のＸ線検出器の画像の座標原点である。図中下方向がＸ軸の正方向、右方向が軸の正方向である。
【０００６】
Ｘ線画像撮影装置２３０１の筐体表面の指標２３０３，２３０４，２３０５の形状は特許文献１とは異なるが、Ｘ線検出器の矩形の短辺方向および長辺方向においてそれぞれ中心線に対して線対称の形状であり、後述の本発明の着眼点においては実質的に同等とみなすことができる。
【０００７】
図２４はＸ線画像撮影装置２３０１で撮影した画像を、モニタ２４０１で表示した場合の説明図である。２４０３は被写体、２４０２は画像範囲である。この撮影の場合画像の座標原点を表示装置の左下に位置させるように定義されている。
【０００８】
図２５は図２３と同一のＸ線撮影装置２３０１を１８０度回転させた状態でおいた場合の図である。図２３と同一の記号は同一の部材を表す。画像原点は図中右下に変わる。一方指標２３０２、２３０３、２３０４の形状は対称形であるため図２３と同一となる。このためＸ線撮影装置２３０１が１８０度回転していることを意識せず図２３と同一の方向で被写体２３０８を位置決めして撮影すると、図２６に示すように被写体２６０１は図２４の被写体２４０３とは１８０度回転した状態で表示され本来の観察する方向とはならない。
【０００９】
また、感光性フィルム（Ｘ線検出手段）をデジタルデータに変換するデジタイザーを用いたシステムの構築を行う病院も存在する。この場合、筐体に入れた感光性フィルム（Ｘ線検出手段）を現像機で現像後、現像後の感光性フィルム（Ｘ線検出手段）をデジタイザで読み取り、デジタルデータに変換後にモニター表示が行われる。この場合も一般に、現像機に筐体を入れる方向及びデジタイザにフィルムをいれる方向は固定されている。
【００１０】
また、イメージングプレートを用いたＣＲにおいても、画像をデジタル化して表示されるのが一般的である。この場合も一般に、現像機に筐体を入れる方向及びデジタイザにフィルムをいれる方向は固定されている。
【００１１】
【特許文献１】
特開平２００２−２９１７３０号公報（第４−５頁、第１−３図）
【００１２】
【発明が解決しようとする課題】
可搬型のＸ線画像撮影装置を用いて撮影する場合やベッドに組み込まれたＸ線画像撮影装置のように二次元状の検出面と被写体の相対位置関係がさまざまな組み合わせとなり、撮影した画像を表示する際に所望の方向に表示されないという問題がある。また、画像データの上部等に被写体名や撮影日時（以下アノテーションと呼ぶ）を入れて、印刷する場合がある。この場合にもアノテーションの位置と被写体の位置関係が所望の関係に表示されないという問題がある。
【００１３】
前述の従来例で、図２６のように本来の方向と異なる方向で画像が表示された後に、画像を回転させて図２４と同様の位置関係にすることもできるが画像表示の即時性を利点とするこのようなシステムの利便性を損なうことになる。撮影した画像の座標原点及び座標系を、表示する際に、表示装置のどの部分に一致させるかは、操作者があらかじめ設定することが可能であるが、撮影部位ごとに定義するのが普通で、この例のように同一の部位を異なる方向で撮影した場合は、所望の方向に即座に表示することができないという問題があった。
【００１４】
本発明は、かかる問題点に鑑みてなされたものであって、Ｘ線画像撮影装置と被写体の相対位置関係を撮影者に認識できるようにすることを目的とする。
【００１５】
【課題を解決するための手段】
上記課題を解決するために、本発明はＸ線を画像又は電気信号に変換するための二次元状の検出面を有するＸ線検出手段と、前記Ｘ線検出手段を内包する筐体と、前記筐体上に配置され、前記検出面の座標原点又は／及び座標系を示す図案を表示するための表示手段とを備えることを特徴とする。
【００１６】
本発明の上述及び他の目的、並びに効果及び特徴は、添付図面を参照しつつ後述される発明の実施の形態の説明において、より明らかにされている。
【００１７】
【発明の実施の形態】
本発明を図１から図２１に図示する実施の形態に基づいて詳細に説明する。
【００１８】
図１から５は本発明の第１の実施例の概略斜視図である。図中同一の記号は同一の部材を表す。
【００１９】
図１を用いて本実施例の構成を説明する。１０１は可搬型のＸ線画像撮影装置であり、１０１には、複数の光電変換素子を二次元状に配置した検出面を有する不図示のＸ線検出センサ（Ｘ線検出手段）が内蔵されている。１０２はＸ線画像撮影装置１０１のＸ線を照射する部分の筐体表面のカバーで、カーボン板などのＸ線透過率の高い材質で構成されている。１０３は不図示のＸ線検出センサ（Ｘ線検出手段）の検出範囲を表す矩形の枠線である。１０４は前記検出範囲の矩形の短辺方向の中心線である。１０５は同じく長辺方向の中心線である。
【００２０】
１０６は表示手段であり、電気的に点灯、および消灯が可能な様に構成され指標１０６−１から１０６−４を有する。さらに指標１０６−１から１０６−４は２種以上の色に発光するように構成されており、例えば赤と青のランプを内包している。ここで、指標の発光、非発光及び発光色の組み合わせを図案と呼ぶことにする。また、前記検出面の重心位置を回転中心としたときに、回転対称ではない図案とするものである。これにより座標原点を一意に定めることができるものである。図中指標１０６−１から１０６−４は枠線１０３の長辺のひとつの外側中央付近に位置する。１０７は不図示の制御装置とＸ線画像撮影装置１０１とを接続するケーブルで、制御信号や画像データを通信する。１０８は被写体であり、図では右手の例を示した。この例の場合操作者は、右手の親指側を常に発光している指標１０６側に向けて撮影する。図１で枠線１０３の図中左上が不図示の二次元状の検出面の座標原点である。この場合、指標１０６−１が赤色に発光している場合には、図１に示す様に、図中下方向がＸ軸の正方向、右方向が軸の正方向である。
【００２１】
これに対して青色に発光している場合には長辺側がＸ軸の正方向、短辺側がＹ軸の正方向を示す。つまり、指標の発光で検出面の座標原点と座標系を撮影者に認識できるように表示しているものである。尚、図案と座標原点及び座標系の関係は予め撮影者に教示しているものとする。
【００２２】
図２はＸ線画像撮影装置１０１で撮影した画像を、モニタ２０１で表示した場合の説明図である。２０３は被写体、２０２は画像範囲である。この撮影の場合、画像の座標原点を表示装置の左下に位置させるように定義されている。また、Ｘ軸の正方向を短辺側とし、Ｙ軸の正方向を長辺側としているものである。
【００２３】
図３は図１に記載したＸ線画像撮影装置１０１、図２に記載したモニタ２０１を含む撮影システムの概略構成図である。３０１はＸ線画像撮影装置１０１に接続される制御部で、制御手段３０２、画像処理手段３０４、通信手段３０５等を有する。制御手段３０２には各種設定の記憶手段３０３を有する。３０６は操作部で、制御部への各種入力を行うと同時に、操作上の情報の表示を行う。被写体のカテゴリとして、例えば部位名、撮影体位などを入力するものである。制御手段３０２はＸ線画像撮影装置１０１との間で各種の制御信号の授受を行う。３０７はＸ線管球３０８が接続されているＸ線発生装置である。Ｘ線発生装置３０７は制御部３０２と接続されており、双方の状態を通信しあい、撮影時には同期信号の授受を行う。Ｘ線画像撮影装置１０１で取得された画像データは画像処理部３０４に転送され所望の処理が行われる。処理後の画像データは通信手段３０５を介して病院内のネットワーク３１０に送られる。ネットワーク３１０には画像データベース３１１、読影用ワークステーション３１２が接続されている。ここで、画像処理部３０４には、Ｘ線検出センサ（Ｘ線検出手段）からの電気信号をＡ／Ｄ変換するＡ／Ｄ変換器も含むものとする。ただし、Ｘ線検出センサ（Ｘ線検出手段）がＡ／Ｄ変換器を有する構成とすることも可能であり、この場合には、画像処理部３０４は階調変換処理などの画像処理機能だけを有するものである。また、感光性フィルムを用いる場合にはデジタイザーを画像処理部３０４とし、イメージングプレートを用いる場合には、励起光を照射することにより潜像を読み出すデジタル画像作成を画像処理部３０４とし、画像処理部３０４では所望の処理が行われるものである。
【００２４】
次に図４のフローチャートおよび図３の撮影システムの概略構成図を用いてＸ線画像撮影装置１０１を用いた撮影の手順について述べる。まず初めに操作部３０６で撮影する部位を選択する（Ｓ４０１）。部位を選択すると同時に、その部位にあらかじめ定義されていた、座標原点、座標系、撮影条件、画像処理条件などに関連する情報が記憶手段３０３から読み出され、制御手段３０２に認識される（Ｓ４０２）。そして、制御手段３０２は読み出された座標原点と座標系に従い表示手段１０６に予め定まる図案を表示させるように制御する。また、この設定の中に、撮影した画像の座標原点を表示する際にモニタ２０１上のどの位置に設定するかという画像の回転角度設定、画像原点の定義も含まれる。これらの設定は操作者があらかじめ所望の値に設定し、操作部３０６から入力して記憶手段３０３に記憶させることができる。つぎに操作者は被写体とＸ線画像撮影装置１０１の検出面の位置決めを行う（Ｓ４０３）。この際、指標１０６を用いて被写体が常に同じ方向に位置決めされるようにする。次にＸ線管球３０８からＸ線を曝射し撮影を行う（Ｓ４０４）。撮影後画像データは画像処理部３０４に転送され画像の回転なども含めた所望の処理が行われ（Ｓ４０５）、即座に確認画像がモニタ２０１に表示される（Ｓ４０６）。この際に、先に述べた部位ごとの画像回転設定と、表示手段１０６によって一義的に位置決めされた被写体の方向が合致し、常に所望の方向で画像が表示される。したがって表示後画像を回転する操作が不要となり迅速な作業を行うことができる。表示画像で撮影の良否を判断し、失敗であれば再撮影を行い、成功であれば操作部３０６から転送の指令を入力する（Ｓ４０７）。画像データは通信手段２９からネットワーク３４を介して画像データベース３５に転送され（Ｓ４０８）、保存される（Ｓ４０９）。保存した画像は、読影する際などに画像データベース３１１から読み出され（Ｓ４１０）、読影用ワークステーション３１２の高精細モニタに表示される（Ｓ４１１）。表示画像を読影医が読影し、診断レポートが作成される（Ｓ４１２）。保管されている画像には画像回転パラメータも付帯して保存されているため読影医が画像を表示する際も所望の方向に画像を表示することができる。
【００２５】
図５、図６は図１と同一のＸ線撮影装置１０１を異なる角度を視点として描いた図である。図５では画像原点は図中左上であるが、図６では画像原点は図中左下に変わる。これは指標を赤色発光した場合の座標系を示している。したがって操作者は検出面の座標原点及び座標系の違いを容易に認識し、被写体１０８を図１と同様に親指側が指標１０６の方向になるように位置決めすることができる。したがって図６の状態で撮影した場合も図２に示すように被写体を所望の方向で表示することができる。
【００２６】
被写体１０８を図５の方向に撮影するか、あるいは別の、たとえば図６の方向で撮影するかは、ひとつの撮影システムにおいては、ほぼ一義的に決めることもできるが、別の装置、別の施設では同一になるとは限らない。装置の配置、撮影室の形状、被験者や操作者の移動経路、操作者の好みや慣れなどに依存してさまざまな例が考えられる。たとえば、Ｘ線画像撮影装置１０１と、図３の制御部３０１の配置からケーブル１０７は図５、６の方向に位置するのが適切であると仮定する。ところが被験者が撮影室に入って来る入り口が図中左にあれば図５が、図中右側にあれば図６が、被験者にとって自然な動きとなる。従って、座標の原点、座標系を適時変更することで、撮影をより容易に行える効果もある。
【００２７】
また、画像データの上部等にアノテーションを入れて印刷する場合にも被写体の位置とアノテーションの位置関係を所望とする関係に保つ事ができる効果がある。
【００２８】
以下に本発明の他の実施例を示す。図１と同一の記号は同一の部材を表す。
【００２９】
図７、８は本発明の第２の実施例の指標部分の拡大図である。不図示の指標以外の部分は第１の実施例と同一で、第１の実施例の指標１０６の部分を変形したものである。図７、８において７０１はスライド式の指標部で、筐体表面の開口部７０３に対して図中左右方向に移動可能な機構になっている。指標部７０１の突起７０１ｃが図７の位置にある場合は、７０１ａが開口部７０３に露出し、そこには指標７０２が描かれている。図７の状態から突起７０１ｃを図中右方向に押して移動させると図８の状態となり、開口部７０３には７０１ｂが露出し、ここには指標が描かれていない。スライド部７０１は図７、８の位置に固定可能で、ある程度の力で突起７０１ｃを横方向に押すと移動可能となりそれぞれ別の状態に変更可能な機構になっている。このような指標を、筐体表面の複数箇所に設けることで、操作者は所望の位置に指標を配置することができる。また指標の表示位置の変更が容易である。このスライド式の指標部は図示しないモータにより駆動されるもであり、モータは制御部３０２の制御を受けるものである。指標７０２を赤色とするものと、青色とするものを１長辺に沿って２種類、設置することで座標系も表現することが可能である。尚、モータ駆動でなく、手導でスライド部７０１をスライドする構成とすることも可能である。この場合には、制御部３０２の制御が不要となるものである。
【００３０】
図９，１０は本発明の第３の実施例で、図１の指標１０６を、任意の位置に移動可能で、移動後に固定することのできる指標９０１に変更した点が第１の実施例と異なる。
【００３１】
指標の移動、固定の機構はさまざまな形式が考えられる。図９，１０の例は三角形状の指標９０１が裏面に粘着材を有するシールとなっており、操作者の好みの位置に貼付することができる。この場合には、制御部３０２の制御が不要となるものである。また、指標の移動は不可能となるが指標を筐体表面にあらかじめ描いておくという構成もとれる。
【００３２】
図１１は本発明の第４の実施例を示す平面図である。Ｘ線画像撮影装置１１０１には電気的に点灯、および消灯可能な指標１１０２が計１６個配置されている。指標１１０２は赤色で点灯（１１０２ｂ、１１０２ｅ）、緑色で点灯（１１０２ａ、１１０２ｃ、１１０２ｄ、１１０２ｆ）および消灯（その他の１１０２すべて）の３とおりの状態となることが可能で、不図示の制御部によりを制御されている。赤色で点灯は被写体の方向を表示すると同時に被写体の中心線を表す。緑色で点灯は被写体のおおよその範囲をあらわし、この範囲を目安に、Ｘ線の照射範囲を調節することができる。このような構成により、第１の実施例と同様の効果とさらにきめ細かな情報を操作者に提供することができる。
【００３３】
図１２は本発明の第５の実施例を示す平面図である。Ｘ線画像撮影装置１２０１に被写体の概略の形状等の２次元画像を表示可能な、２次元画像を表示するための液晶表示装置などの表示部１２０２（第二の表示手段）を設けたものである。撮影部位が選択されると、その部位の概略形状１２０３が表示部１２０２（第二の表示手段）に表示される。概略形状１２０３の方向は、撮影後の表示時に適切な方向と一致している。このような構成により、たとえば右手親指を指標に合わせるといった、指標と被写体の位置関係を記憶することが不要になり、より直感的に被写体を位置決めすることができるため、作業がさらに効率化される。尚、本実施例では表示される画像を図案と呼ぶことにする。この場合も、表示される図案は、表示部１２０２の重心点に対して回転非対称とするものである。
【００３４】
以下は第３の実施例の指標の表示位置を変形した例である。図１と同一の記号は同一の部材を表す。
【００３５】
図１３は第６の実施例で、Ｘ線画像撮影装置１３０１の筐体表面の枠線１０３のひとつの長辺に沿って指標１３０２を配置した。指標１３０２は枠線１０３の長辺の全長にほぼ等しい。
【００３６】
図１４は第７の実施例で、第３の実施例と同様に、Ｘ線画像撮影装置１４０１の筐体表面の枠線１０３の外側でかつ長辺の中央近傍に指標１４０２を配置すると同時に、さらに短辺の中央近傍にも指標１４０３を設けたものである。
【００３７】
図１５は第８の実施例で、第６の実施例と同様に、Ｘ線画像撮影装置１５０１の筐体表面の枠線１０３のひとつの長辺に沿って指標１５０２を配置すると同時に、さらに短辺に沿って指標１５０３を表示した。
【００３８】
図１６は第９の実施例で、Ｘ線画像撮影装置１６０１の筐体表面の枠線１０３の長辺と短辺の外側にそれぞれの辺の約１／２の長さの指標１６０２、１６０３を配置したものである。指標１６０２、１６０３は枠線１０３のひとつの長辺の中央とひとつの短辺の中央と、共通の一角にそって、枠線の外側に配置されている。
【００３９】
図１７は第１０の実施例で、Ｘ線画像撮影装置１７０１の筐体表面の枠線１０３の一角の近傍に指標１７０２を配置した。１７０３は被写体で、枠線１０３の対角線に沿って右腕を位置決めした場合の例である。
【００４０】
図１８は第１１の実施例で、Ｘ線画像撮影装置１８０１の筐体表面の中心線１０４、１０５で仕切られた領域１８０２の色彩を他と異なるものとして、他の領域と区別して表示した例である。
【００４１】
図１９は第１２の実施例で、Ｘ線画像撮影装置１９０１の筐体表面の中心線１０４、１０５の交点付近の領域１９０２を他の領域と異なる色彩にして指標にしたものである。
【００４２】
図２０は第１３の実施例で、Ｘ線画像撮影装置２００１の筐体表面の長辺および短辺の中心線を中央から分割し、実線部分２００２、２００４と、点線部分２００３、２００５を区別して表示した例である。
【００４３】
図２１は第１４の実施例で、Ｘ線画像撮影装置２１０１の筐体表面の枠線１０３のかわりに、矩形の検出領域の短辺方向の範囲を表す指標２１０２、２１０３、２１０４、２１０５と、長辺方向の範囲を表す指標２１０６、２１０７、２１０８、２１０９を配置した。さらに短辺方向の中心を表す指標２１１０、２１１１および、長辺方向の中心を表す指標２１１２、２１１３を設けた。さらに対向する指標２１１０、２１１１および２１１２、２１１３の色彩を異なるもとして検出面内の回転の指標としている。
【００４４】
本発明の実施の形態は上記の実施の形態に限定されることなく、様々な変形例が考えられる。
【００４５】
通信ケーブル、把手のあるＸ線撮影装置の筐体の例を示したが、必ずしも必要ではない。筐体は検出面内で回転対象の形状でも良い。Ｘ線検出手段の検出面は矩形形状に限らない。
【００４６】
以上説明したように本発明に係るＸ線画像撮影装置は、可搬性の装置で撮影時のアライメントの自由度が増したにもかかわらず、指標を配置することで、つねに画像データの原点と被写体の相対位置関係を保つことができる。このため同一部位の画像は常に同一の所望の方向で表示することができる。したがって撮影時の画像確認と時や、読影時にいちいち画像を適切な方向に回転する作業を省略することができるため、作業の効率化が実現できる。
【００４７】
回転方向を識別する指標が検出面の中心線付近に配置した場合は、被写体を検出面の中央部に配置することも容易になる。
【００４８】
回転方向を識別する指標が検出面の外枠の一辺と略同一の長さの場合は、被写体に指標が隠れることが少なく確認が容易である。
【００４９】
回転方向を識別する指標が、外枠の二辺の近傍にある場合、または一角の近傍にある場合は、特に検出面の矩形形状の対角線に沿った位置決めをするときに検出面の特定の角を認識するのが容易になる。
【００５０】
【発明の効果】
以上説明したように本発明に係るＸ線画像撮影装置は、Ｘ線画像撮影装置と被写体の相対位置関係が撮影者に容易に認識できる効果を有するものである。
【図面の簡単な説明】
【図１】第１の実施例のＸ線画像撮影装置の概略構成を説明する斜視図である。
【図２】第１の実施例のモニタの表示例を説明する斜視図である。
【図３】第１の実施例のＸ線画像撮影装置のシステム概略構成を説明するブロック図である。
【図４】第１の実施例の操作手順を示すフローチャートである。
【図５】第１の実施例のＸ線画像撮影装置の概略構成を説明する平面図である。
【図６】第１の実施例のＸ線画像撮影装置の概略構成を説明する平面図である。
【図７】第２の実施例のＸ線画像撮影装置の指標部分の拡大図ある。
【図８】第２の実施例のＸ線画像撮影装置の指標部分の拡大図ある。
【図９】第３の実施例のＸ線画像撮影装置の概略構成を説明する平面図である。
【図１０】第３の実施例のＸ線画像撮影装置の概略構成を説明する平面図である。
【図１１】第４の実施例のＸ線画像撮影装置の概略構成を説明する平面図である。
【図１２】第５の実施例のＸ線画像撮影装置の概略構成を説明する平面図である。
【図１３】第６の実施例のＸ線画像撮影装置の概略構成を説明する平面図である。
【図１４】第７の実施例のＸ線画像撮影装置の概略構成を説明する平面図である。
【図１５】第８の実施例のＸ線画像撮影装置の概略構成を説明する平面図である。
【図１６】第９の実施例のＸ線画像撮影装置の概略構成を説明する平面図である。
【図１７】第１０の実施例のＸ線画像撮影装置の概略構成を説明する平面図である。
【図１８】第１１の実施例のＸ線画像撮影装置の概略構成を説明する平面図である。
【図１９】第１２の実施例のＸ線画像撮影装置の概略構成を説明する平面図である。
【図２０】第１３の実施例のＸ線画像撮影装置の概略構成を説明する平面図である。
【図２１】第１４の実施例のＸ線画像撮影装置の概略構成を説明する平面図である。
【図２２】従来のシステムの説明図である。
【図２３】従来のＸ線画像撮影装置の概略構成を説明する斜視図である。
【図２４】従来のモニタの表示例を説明する斜視図である。
【図２５】従来のＸ線画像撮影装置の概略構成を説明する斜視図である。
【図２６】従来のモニタの表示例を説明する斜視図である。
【符号の説明】
１０１  Ｘ線画像撮影装置
１０２  Ｘ線検出手段の検出面のカバー
１０６、７０２、９０１、１１０２１３０２、１４０２、１６０２、１７０２、１８０２，１９０２、２１１２、２１１０  指標（表示手段）
１２０２  ２次元画面（表示手段）
２０１  モニタ（第二の表示手段）
３０２  制御手段
３０３  記憶手段
３０４  画像処理手段
【図１】
2005073706.tif 000003
【図２】
2005073706.tif 000004
【図３】
2005073706.tif 000005
【図４】
2005073706.tif 000006
【図５】
2005073706.tif 000007
【図６】
2005073706.tif 000008
【図７】
2005073706.tif 000009
【図８】
2005073706.tif 000010
【図９】
2005073706.tif 000011
【図１０】
2005073706.tif 000012
【図１１】
2005073706.tif 000013
【図１２】
2005073706.tif 000014
【図１３】
2005073706.tif 000015
【図１４】
2005073706.tif 000016
【図１５】
2005073706.tif 000017
【図１６】
2005073706.tif 000018
【図１７】
2005073706.tif 000019
【図１８】
2005073706.tif 000020
【図１９】
2005073706.tif 000021
【図２０】
2005073706.tif 000022
【図２１】
2005073706.tif 000023
【図２２】
2005073706.tif 000024
【図２３】
2005073706.tif 000025
【図２４】
2005073706.tif 000026
【図２５】
2005073706.tif 000027
【図２６】
2005073706.tif 000028